【手続補正書】
【提出日】平成17年3月10日(2005.3.10)
【手続補正１】
【補正対象書類名】明細書
【補正対象項目名】発明の名称
【補正方法】変更
【補正の内容】
【発明の名称】データ配信装置およびデータ配信用の端末装置
【手続補正２】
【補正対象書類名】明細書
【補正対象項目名】特許請求の範囲
【補正方法】変更
【補正の内容】
【特許請求の範囲】
【請求項１】
機器固有の第１の識別データと上記第１の識別データと対応する第２の識別データとが記憶されている第１の記憶手段と、
上記第１の記憶手段から読み出された上記第１の識別データとともにデータの配信要求データを送信するとともに送信されてきたデータを受信する第１の送受信手段と、
上記第１の送受信手段によって受信されたデータを蓄える第１のデータ記憶手段と、
上記第１のデータ記憶手段から読み出されたデータを上記第１の記憶手段に記憶されている上記第２の識別データに基づいて復号化処理を施す第１の信号処理手段と、
上記第１の送受信手段によって受信されたデータを上記第１のデータ記憶手段に記憶させる動作を行うとともに上記第１のデータ記憶手段から読み出されたデータの上記第１の信号処理手段による復号化処理動作を制御する第１の制御手段と、
上記第１の送受信手段から送信されてきた上記第１の識別データと上記配信要求データを受信するとともにデータの送信を行う第２の送受信手段と、
複数のデータが記憶され、上記配信要求データに対応するデータを出力する第２のデータ記憶手段と、
上記送信されてきた第１の識別データに対応する第２の識別データが記憶されている第２の記憶手段と、
上記第２のデータ記憶手段から出力されたデータに上記第２の記憶手段から読み出された第２の識別データに基づいて暗号化処理を施す第２の信号処理手段と、
上記送信されてきた配信要求データと上記第１の識別データに基づいて上記第２の記憶手段から上記第２の識別データの読み出し制御を行うとともに上記配信要求データに基づいて上記第２のデータ記憶手段からデータの読み出し制御を行う第２の制御手段とを備え、
上記第２の送受信手段を介して送信されてきた上記第２の識別データに基づいて暗号化されたデータを上記第１の信号処理手段によって復号するデータ配信装置。
【請求項２】
上記第２の制御手段は、上記第１の送受信手段から課金情報が上記第２の送受信手段に送信され、上記送信されてきた課金情報に基づいて上記第２の記憶手段からの上記第２の識別データの読み出しを制御する請求項１に記載のデータ配信装置。
【請求項３】
上記装置は、更に上記第２のデータ記憶手段に書き込まれるデータに暗号化データに基づいて暗号化処理を施す暗号化処理手段を備え、上記暗号化処理手段によって暗号化されたデータは上記第２のデータ記憶手段に書き込まれるとともに、上記配信要求データに基づいてデータを上記第２のデータ記憶手段から読み出して上記第２の送受信手段から上記第１の送受信手段に送信する際に上記暗号化データを上記第２の信号処理手段によって上記第２の識別データによって暗号化して上記第２のデータ記憶手段から読み出されたデータとともに送信する請求項１に記載のデータ配信装置。
【請求項４】
上記第１の信号処理手段は、上記第２の送受信手段から送信されてきたデータと上記暗号化データを上記第１の記憶手段に記憶されている上記第２の識別データによって復号するとともに、復号された暗号化データに基づいて復号されたデータに上記暗号化データによって施されている暗号の復号処理を行う請求項３に記載のデータ配信装置。
【請求項５】
上記第１の制御手段は、上記暗号化データに基づいて課金処理を行う請求項３に記載のデータ配信装置。
【請求項６】
上記暗号化データは動的に変化するデータ部を有し、上記第１の制御手段は、上記第１のデータ記憶手段に記憶されている上記第２の送受信手段からデータとともに送信されてきた上記暗号化データのうち上記動的に変化するデータ部を所定の時間毎に判別する請求項４に記載のデータ配信装置。
【請求項７】
上記第１の制御手段は、上記動的に変化するデータ部の判別結果に基づいて上記第１のデータ記憶手段に記憶されているデータの読み出し動作を制御する請求項６に記載のデータ配信装置。
【請求項８】
上記第１の制御手段は、上記動的に変化するデータ部の判別結果が上記暗号化データが正しくないときには少なくとも上記第１のデータ記憶手段からのデータの読み出し動作を禁止する請求項７に記載のデータ配信装置。
【請求項９】
上記暗号化データは時間的に変化するデータ部を有し、上記第１の制御手段は、上記第１のデータ記憶手段に記憶されている上記第２の送受信手段からデータとともに送信されてきた上記暗号化データのうち上記動的に変化するデータ部を所定の時間毎に判別する請求項４に記載のデータ配信装置。
【請求項１０】
上記第１の制御手段は、上記時間的に変化するデータ部の判別結果に基づいて上記第１のデータ記憶手段に記憶されているデータの読み出し動作を制御する請求項９に記載のデータ配信装置。
【請求項１１】
上記第１の制御手段は、上記時間的に変化するデータ部の判別結果が所定時間を過ぎているときには少なくとも上記記憶部からのデータの読み出し動作を禁止する請求項１０に記載のデータ配信装置。
【請求項１２】
上記装置は、更に上記第１のデータ記憶手段に記憶されているデータを移動するときに上記第１の信号処理手段によって復号化されたデータに更にデータを移動する先の第１の識別データに基づいて暗号化処理を施す更なる信号処理手段を備えている請求項４に記載のデータ配信装置。
【請求項１３】
上記第１の制御手段は、上記第１のデータ記憶手段に記憶されているデータの移動が終了した時点で上記第１のデータ記憶手段に記憶されている上記暗号化データを削除する請求項１２に記載のデータ配信装置。
【請求項１４】
機器固有の第１の識別データと上記第１の識別データと対応する第２の識別データとが記憶されている第１の記憶手段と、上記第１の記憶手段から読み出された上記第１の識別データとともにデータの配信要求データを送信するとともに送信されてきたデータを受信する第１のデータ送受信手段と、上記データ送受信手段によって受信されたデータを蓄える第１のデータ記憶手段と、上記第１のデータ記憶手段から読み出されたデータを上記第１の記憶手段に記憶されている上記第２の識別データに基づいて復号化処理を施す第１の信号処理手段と、上記第１の送受信手段によって受信されたデータを上記第１のデータ記憶手段に記憶させる動作を行うとともに上記第１のデータ記憶手段から読み出されたデータの上記第１の信号処理手段による復号化処理動作を制御する第１の制御手段とを有する少なくともひとつの端末機器手段と、
上記端末機器手段と伝送路を介して接続され、上記第１の送受信手段から送信されてきた上記第１の識別データと上記配信要求データを受信するとともにデータの送信を行う第２の送受信手段と、複数のデータが記憶され、上記配信要求データに対応するデータを出力する第２のデータ記憶手段と、上記送信されてきた第１の識別データに対応する第２の識別データが記憶されている第２の記憶手段と、上記第２のデータ記憶手段から出力されたデータに上記第２の記憶手段から読み出された第２の識別データに基づいて暗号化処理を施す第２の信号処理手段と、上記送信されてきた配信要求データと上記第１の識別データに基づいて上記第２の記憶手段から上記第２の識別データの読み出し制御を行うとともに上記配信要求データに基づいて上記第２のデータ記憶手段からデータの読み出し制御を行う第２の制御手段とを有するサーバ装置手段とを備え、
上記第２の送受信手段を介して送信されてきた上記第２の識別データに基づいて暗号化されたデータを上記第１の信号処理手段によって復号するデータ配信装置。
【請求項１５】
上記第２の制御手段は、上記第１の送受信手段から課金情報が上記第２の送受信手段に送信され、上記送信されてきた課金情報に基づいて上記第２の記憶手段からの上記第２の識別データの読み出しを制御する請求項１４に記載のデータ配信装置。
【請求項１６】
上記装置は、更に上記第２のデータ記憶手段に書き込まれるデータに暗号化データに基づいて暗号化処理を施す暗号化処理手段を備え、上記暗号化処理手段によって暗号化されたデータは上記第２のデータ記憶手段に書き込まれるとともに、上記配信要求データに基づいてデータを上記第２のデータ記憶手段から読み出して上記第２の送受信手段から上記第１の送受信手段に送信する際に上記暗号化データを上記第２の信号処理手段によって上記第２の識別データによって暗号化して上記第２のデータ記憶手段から読み出されたデータとともに送信する請求項１４に記載のデータ配信装置。
【請求項１７】
上記第１の信号処理手段は、上記第２の送受信手段から送信されてきたデータと上記暗号化データを上記第１の記憶手段に記憶されている上記第２の識別データによって復号するとともに、復号された暗号化データに基づいて復号されたデータに上記暗号化データによって施されている暗号の復号処理を行う請求項１６に記載のデータ配信装置。
【請求項１８】
上記第１の制御手段は、上記暗号化データに基づいて課金処理を行う請求項１６に記載のデータ配信装置。
【請求項１９】
上記暗号化データは動的に変化するデータ部を有し、上記第１の制御手段は、上記第１のデータ記憶手段に記憶されている上記第２の送受信手段からデータとともに送信されてきた上記暗号化データのうち上記動的に変化するデータ部を所定の時間毎に判別する請求項１６に記載のデータ配信装置。
【請求項２０】
上記第１の制御手段は、上記動的に変化するデータ部の判別結果に基づいて上記第１のデータ記憶手段に記憶されているデータの読み出し動作を制御する請求項１９に記載のデータ配信装置。
【請求項２１】
上記第１の制御手段は、上記動的に変化するデータ部の判別結果が上記暗号化データが正しくないときには少なくとも上記第１のデータ記憶手段からのデータ読み出し動作を禁止する請求項２０に記載のデータ配信装置。
【請求項２２】
上記暗号化データは時間的に変化するデータ部を有し、上記第１の制御手段は、上記第１のデータ記憶手段に記憶されている上記第２の送受信手段からデータとともに送信されてきた上記暗号化データのうち上記動的に変化するデータ部を所定の時間毎に判別する請求項１６に記載のデータ配信装置。
【請求項２３】
上記第１の制御手段は、上記時間的に変化するデータ部の判別結果に基づいて上記第１のデータ記憶手段に記憶されているデータの読み出し動作を制御する請求項２２に記載のデータ配信装置。
【請求項２４】
上記第１の制御装置は、上記時間的に変化するデータ部の判別結果が所定時間を過ぎているときには少なくとも上記記憶手段からのデータ読み出し動作を禁止する請求項２３に記載のデータ配信装置。
【請求項２５】
上記装置は、更に上記第１のデータ記憶手段に記憶されているデータを他の端末機器手段に移動するときに上記第１の信号処理手段によって復号化されたデータに更にデータを移動する先の上記他の端末機器手段の第１の識別データに基づいて暗号化処理を施す更なる信号処理手段を備えている請求項１６に記載のデータ配信装置。
【請求項２６】
上記第１の制御手段は、上記第１のデータ記憶手段に記憶されているデータの移動が終了した時点で上記第１のデータ記憶手段に記憶されている上記暗号化データを削除する請求項２５に記載のデータ配信装置。
【請求項２７】
装置固有の第１の識別データと上記第１の識別データと対応する第２の識別データとが記憶されている記憶手段と、
上記記憶手段から読み出された上記第１の識別データとともにデータの配信要求データを送信するとともに上記第２の識別データによって暗号化されて送信されてきたデータを受信するデータ送受信手段と、
上記データ送受信手段によって受信された上記第２の識別データに基づいて暗号化されたデータを蓄えるデータ記憶手段と、
上記データ記憶手段から読み出されたデータを上記記憶手段に記憶されている上記第２の識別データに基づいて復号処理を施す信号処理手段と、
上記データ送受信手段によって受信されたデータを上記データ記憶手段に記憶させる動作を行うとともに上記データ記憶手段から読み出されたデータの上記信号処理手段による復号化処理動作を制御する制御手段とを備えているデータ配信用の端末装置。
【請求項２８】
上記データ記憶手段には、上記データ送受信手段によって受信されたデータと当該データに施されている暗号化に元となる暗号化データが記憶されており、上記信号処理手段は、上記データ記憶手段から読み出されたデータを上記第１の記憶手段に記憶されている上記第２の識別データによって復号するとともに、復号された暗号化データに基づいて復号されたデータに上記暗号化データによって施されている暗号の復号処理を行う請求項２７に記載のデータ配信用の端末装置。
【請求項２９】
上記第１の制御手段は、上記暗号化データに基づいて課金処理を行う請求項２８に記載のデータ配信用の端末装置。
【請求項３０】
上記暗号化データは動的に変化するデータ部を有し、上記の制御手段は、上記のデータ記憶手段にデータとともに記憶されている上記暗号化データのうち上記動的に変化するデータ部を所定の時間毎に判別する請求項２８に記載のデータ配信用の端末装置。
【請求項３１】
上記制御手段は、上記動的に変化するデータ部の判別結果に基づいて上記データ記憶手段に記憶されているデータの読み出し動作を制御する請求項３０に記載のデータ配信用の端末装置。
【請求項３２】
上記制御手段は、上記動的に変化するデータ部の判別結果が上記暗号化データが正しくないときには少なくとも上記データ記憶手段からのデータの読み出し動作を禁止する請求項３１に記載のデータ配信用の端末装置。
【請求項３３】
上記暗号化データは時間的に変化するデータ部を有し、上記制御手段は、上記データ記憶手段にデータとともに記憶されている上記暗号化データのうち上記動的に変化するデータ部を所定の時間毎に判別する請求項２８に記載のデータ配信用の端末装置。
【請求項３４】
上記制御手段は、上記時間的に変化するデータ部の判別結果に基づいて上記第１のデータ記憶手段に記憶されているデータの読み出し動作を制御する請求項３０に記載のデータ配信用の端末装置。
【請求項３５】
上記制御手段は、上記時間的に変化するデータ部の判別結果が所定時間を過ぎているときには少なくとも上記記憶手段からのデータの読み出し動作を禁止する請求項３１に記載のデータ配信用の端末装置。
【請求項３６】
上記装置は、更に上記データ記憶手段に記憶されているデータを移動するときに上記信号処理手段によって復号化されたデータに更にデータを移動する先の第１の識別データに基づいて暗号化処理を施す更なる信号処理手段を備えている請求項２８に記載のデータ配信用の端末装置。
【請求項３７】
上記制御手段は、上記データ記憶手段に記憶されているデータの移動が終了した時点で上記のデータ記憶手段に記憶されている上記暗号化データを削除する請求項３３に記載のデータ配信用の端末装置。
【手続補正３】
【補正対象書類名】明細書
【補正対象項目名】０００１
【補正方法】変更
【補正の内容】
【０００１】
【発明の属する技術分野】
この発明は、例えば、複数の音楽データが蓄積されるコンテンツサーバと、このコンテンツサーバに蓄積されたコンテンツから所望のコンテンツが配信されるユーザマシンとからなるデータ配信装置およびデータ配信用の端末装置に関するもので、特に、コンテンツの保護と課金に係わる。
【手続補正４】
【補正対象書類名】明細書
【補正対象項目名】０００９
【補正方法】変更
【補正の内容】
【０００９】
したがって、この発明の目的は、コンテンツの配信を行なうようなシステムで、コンテンツの保護が十分図れ、正当な課金が行なえるようにしたデータ配信装置およびデータ配信用の端末装置を提供することにある。
【手続補正５】
【補正対象書類名】明細書
【補正対象項目名】００１０
【補正方法】変更
【補正の内容】
【００１０】
【課題を解決するための手段】
この発明は、機器固有の第１の識別データと第１の識別データと対応する第２の識別データとが記憶されている第１の記憶手段と、
第１の記憶手段から読み出された第１の識別データとともにデータの配信要求データを送信するとともに送信されてきたデータを受信する第１の送受信手段と、
第１の送受信手段によって受信されたデータを蓄える第１のデータ記憶手段と、
第１のデータ記憶手段から読み出されたデータを第１の記憶手段に記憶されている第２の識別データに基づいて復号化処理を施す第１の信号処理手段と、
第１の送受信手段によって受信されたデータを第１のデータ記憶手段に記憶させる動作を行うとともに第１のデータ記憶手段から読み出されたデータの第１の信号処理手段による復号化処理動作を制御する第１の制御手段と、
第１の送受信手段から送信されてきた第１の識別データと配信要求データを受信するとともにデータの送信を行う第２の送受信手段と、
複数のデータが記憶され、配信要求データに対応するデータを出力する第２のデータ記憶手段と、
送信されてきた第１の識別データに対応する第２の識別データが記憶されている第２の記憶手段と、
第２のデータ記憶手段から出力されたデータに第２の記憶手段から読み出された第２の識別データに基づいて暗号化処理を施す第２の信号処理手段と、
送信されてきた配信要求データと第１の識別データに基づいて第２の記憶手段から第２の識別データの読み出し制御を行うとともに配信要求データに基づいて第２のデータ記憶手段からデータの読み出し制御を行う第２の制御手段とを備え、
第２の送受信手段を介して送信されてきた第２の識別データに基づいて暗号化されたデータを第１の信号処理手段によって復号するデータ配信装置である。
さらに、この発明は、機器固有の第１の識別データと第１の識別データと対応する第２の識別データとが記憶されている第１の記憶手段と、第１の記憶手段から読み出された第１の識別データとともにデータの配信要求データを送信するとともに送信されてきたデータを受信する第１のデータ送受信手段と、データ送受信手段によって受信されたデータを蓄える第１のデータ記憶手段と、第１のデータ記憶手段から読み出されたデータを第１の記憶手段に記憶されている第２の識別データに基づいて復号化処理を施す第１の信号処理手段と、第１の送受信手段によって受信されたデータを第１のデータ記憶手段に記憶させる動作を行うとともに第１のデータ記憶手段から読み出されたデータの第１の信号処理手段による復号化処理動作を制御する第１の制御手段とを有する少なくともひとつの端末機器手段と、
端末機器手段と伝送路を介して接続され、第１の送受信手段から送信されてきた第１の識別データと配信要求データを受信するとともにデータの送信を行う第２の送受信手段と、複数のデータが記憶され、配信要求データに対応するデータを出力する第２のデータ記憶手段と、送信されてきた第１の識別データに対応する第２の識別データが記憶されている第２の記憶手段と、第２のデータ記憶手段から出力されたデータに第２の記憶手段から読み出された第２の識別データに基づいて暗号化処理を施す第２の信号処理手段と、送信されてきた配信要求データと第１の識別データに基づいて第２の記憶手段から第２の識別データの読み出し制御を行うとともに配信要求データに基づいて第２のデータ記憶手段からデータの読み出し制御を行う第２の制御手段とを有するサーバ装置手段とを備え、
第２の送受信手段を介して送信されてきた第２の識別データに基づいて暗号化されたデータを第１の信号処理手段によって復号するデータ配信装置である。
【手続補正６】
【補正対象書類名】明細書
【補正対象項目名】００１１
【補正方法】変更
【補正の内容】
【００１１】
この発明は、装置固有の第１の識別データと第１の識別データと対応する第２の識別データとが記憶されている記憶手段と、
記憶手段から読み出された第１の識別データとともにデータの配信要求データを送信するとともに第２の識別データによって暗号化されて送信されてきたデータを受信するデータ送受信手段と、
データ送受信手段によって受信された第２の識別データに基づいて暗号化されたデータを蓄えるデータ記憶手段と、
データ記憶手段から読み出されたデータを記憶手段に記憶されている第２の識別データに基づいて復号処理を施す信号処理手段と、
データ送受信手段によって受信されたデータをデータ記憶手段に記憶させる動作を行うとともにデータ記憶手段から読み出されたデータの信号処理手段による復号化処理動作を制御する制御手段とを備えているデータ配信用の端末装置である。